(57)【要約】【課題】使用にあたり信頼性が高く、構成簡単かつ低コストで製造することができる迅速連結継手を得る。【解決手段】第１部分２と第２部分３とを連結する、特に、押し出し装置の連結部２と混合管部３とを連結する迅速連結継手であって、第１部分２を、円錐体の外側面に雄ねじ部１２を設けたねじ山付き円錐体により構成し、第２部分３を、円錐体の内面に雌ねじ部１９を設けたねじ山付き円錐体により構成した迅速連結継手１において、第２部分３の雌ねじ部１９を、複数条のねじ山２２．１，２２．２よりなる多条ねじ山付き雄ねじ部とし、好適には、第１部分２の雄ねじ部１２を、第２部分３の雌ねじ部１９に補完し合う構成とする。好適には、雄ねじ部１２に、雌ねじ部１９のねじ山と同数のねじ山１３．１，１３．２を設ける。また、好適には、雄ねじ部１２のねじ山を鋸歯状構造にする。【選択図】図１
2004360908.tif 000002
【特許請求の範囲】
【請求項１】
第１部分（２；３１；４２）と第２部分（３；４３）とを連結する、特に、押し出し装置の連結部分（２；４２）と混合管部（３；４３）とを連結する迅速連結継手であって、前記第１部分（２；３１；４２）を、円錐体の外側面に雄ねじ部（１２；３２；４５）を設けたねじ山付き円錐体により構成し、前記第２部分（３；４３）を、円錐体の内面に雌ねじ部（１９；４７）を設けたねじ山付き円錐体により構成した迅速連結継手（１；４１）において、前記第２部分（３；４３）の雌ねじ部（１９；４７）を、複数条のねじ山（２２．１，２２．２；４８．１，４８．２）よりなる多条ねじ山付き雄ねじ部としたことを特徴とする迅速連結継手。
【請求項２】
前記第１部分（２；３１；４２）の雄ねじ部（１２；３２；４５）を、第２部分（３；４３）の雌ねじ部（１９；４７）に補完し合う構成とし、雄ねじ部（１２；３２）に、雌ねじ部（１９）のねじ山と同数のねじ山（１３．１，１３．２）を設けた請求項１記載の迅速連結継手。
【請求項３】
雄ねじ部（１２；４５）のねじ山を、鋸歯状の構造とした請求項１又は２記載の迅速連結継手。
【請求項４】
前記第１部分（２）の遊端縁（１１）に、第１部分（２）と第２部分（３）との間を密封するシール部を設けた請求項１乃至３のうちのいずれか一項に記載の迅速連結継手。
【請求項５】
前記第２部分（３）に前記シール部（１４）を心決めする収容部（２０）を設けた請求項４記載の迅速連結継手。
【請求項６】
第１部分（２；３１；４２）および／または第２部分（３；４３）を合成樹脂を射出成形して形成した請求項１乃至５のうちのいずれか一項に記載の迅速連結継手。
【発明の詳細な説明】
【技術分野】
【０００１】
本発明は、第１部分と第２部分とを連結する、特に、押し出し装置の連結部分と混合管部とを連結する迅速連結継手であって、前記第１部分を、円錐体の外側面に雄ねじ部を設けたねじ山付き円錐体により構成し、前記第２部分を、円錐体の内面に雌ねじ部を設けたねじ山付き円錐体により構成した迅速連結継手に関するものである。
【背景技術】
【０００２】
迅速連結継手としては、一方の部分にカム面を設け、このカム面に対応する収容部を有する他方の部分に差し込み、次いで相対的に回転することによって締め付け力が作用して連結するバヨネット継手が既知である。また、保持部にクランプ用張り出し部分を設け、この保持部を第１部分に回転して掛合させることによって複数個の部分を互いに連結する回転迅速連結継手がある。（例えば、特許文献１参照）。この既知の迅速連結継手は、迅速に連結を生ずることができるが、大きな力を伝達する必要がある。
【特許文献１】独国特許公開第１９８３８５６０号公報
【０００３】
ペースト状物質のための押し出し装置の場合、この押し出し装置の連結部を混合管部に連結するため大きな力を作用させ、この力を締め付け力に転換する必要がある。このような大きい力を締め付け力に転換するため、円筒形の丸ねじが既知である。この丸ねじは、低コストであるが、部分間の連結を生ずるためには何回もねじる必要がある。
【０００４】
貯蔵容器（タンク）の閉鎖部における継手領域としては、開口に向かって直径が減少する円錐形のねじ山を接続部に設けるものがある。（例えば、特許文献２参照）。この接続部に補完し合う構成の閉鎖キャップによって、この閉鎖キャップを容器に少ない回転によって連結することができる。この従来技術におけるねじ山の製造は、例えば、射出成形によって完全に渦巻き状に製造するため、時間とコストがかかるという欠点がある。
【特許文献２】米国特許第４，７９８，１９５号明細書
【０００５】
また、容器の蓋を設ける部分におけるねじ山を円錐状に傾斜させ、ねじ山の領域における壁厚を、容器側壁と同様に、一定のものとしている容器がある。（例えば、特許文献３参照。）この従来技術は、押し出し装置の継手でみられるように、連結の際に大きな力を必要とする。
【特許文献３】米国特許第４，６９９，２８５号明細書
【発明の開示】
【発明が解決しようとする課題】
【０００６】
したがって、本発明の目的は、使用にあたり信頼性が高く、構成簡単かつ低コストで製造することができる迅速連結継手を得るにある。
【課題を解決するための手段】
【０００７】
この目的を達成するため、本発明は、第１部分と第２部分とを連結する、特に、押し出し装置の連結部分と混合管部とを連結する迅速連結継手であって、前記第１部分を、円錐体の外側面に雄ねじ部を設けたねじ山付き円錐体により構成し、前記第２部分を、円錐体の内面に雌ねじ部を設けたねじ山付き円錐体により構成した迅速連結継手において、前記第２部分の雌ねじ部を、複数条のねじ山よりなる多条ねじ山付き雄ねじ部としたことを特徴とする。
【０００８】
本発明迅速連結継手の第２部分の雌ねじ部は、２条、または３条、またはそれ以上の多条ねじ山を設ける。第１部分の雄ねじ部は、少なくとも１条のねじ山を設け、このねじ山は、第２部分の多条ねじ山の勾配および寸法に適合する構成とする。
【発明の効果】
【０００９】
本発明によれば、第１部分と第２部分とは、雄ねじ部の少なくとも一条のねじ山が多条ねじ山付きの雌ねじ部のうちのねじ山の一つに接触するまでは互いに差し込み合う。この後には、これら部分を相対的にひねることによって、雄ねじ部と雌ねじ部とが互いにねじ掛合する。このとき、雄ねじ部のねじ山側面が、雌ねじ部のねじ山側面に互いに乗り上がって大きな締め付け力を発生する。雌ねじ部の多条のねじ山が雄ねじ部のねじ山に迅速に結合することによって連結を生ずる。さらに、本発明迅速連結継手の各部分は、短時間かつ低コストで製造することができる。第１部分の円錐体は、第２部分の円錐体と同様に、一定壁厚とするか、又は可変壁厚にし、好適には、遊端縁に向かって連続的に壁厚を減少させる。
【発明を実施するための最良の形態】
【００１０】
本発明の好適な実施例においては、雄ねじ部のねじ山を、雄ねじ部のねじ山よりも小さいものとする。多条ねじ山付き雌ねじ部のうち少なくとも１条のねじ山をこのようにすると、雄ねじ部のねじ山軌条間に収容することができる。
【００１１】
好適な実施例においては、第１部分の雄ねじ部を、第２部分の雌ねじ部に補完し合う構成とする。また、雄ねじ部のねじ山の数を、雌ねじ部のねじ山の数よりも少ないか、もしくは同数のねじ山を設け、雄ねじ部のねじ山の構成を、雌ねじ部のねじ山の勾配および構成に適合させる。好適には、雄ねじ部のねじ山の数を、雌ねじ部のねじ山の数と同数にする。本発明のこの実施例によれば、雄ねじ部の多数のねじ山側面が雌ねじ部のねじ山側面に乗り上がり、より多くのねじ山側面によって締め付け力の伝達を生じ、従来の継手におけるよりも大きな力を伝達することができる。
【００１２】
本発明の好適な実施例においては、雄ねじ部のねじ山を、鋸歯状の構造とする。ねじ山をこのように構成することによって、より大きい力を連結力に転換することができる。さらに、ねじ山は他の形状にすることもでき、例えば、台形にすることもできる。
【００１３】
本発明の好適な実施例においては、第１部分の遊端縁に、第１部分と第２部分との間を密封するシール部を設ける。第１部分の遊端縁には、例えば、シールリップを設け、部分相互を結合したとき密封が確実になるようにする。
【００１４】
本発明の好適な実施例においては、第２部分にシール部を心決めする収容部を設ける。第２部分の円錐形領域には、例えば、テーパを付け、第２部分のこのテーパ領域は、雌ねじ部の領域よりも急峻な円錐角度にする。連結で生ずる密封を確実にするめため、遊端縁外径を、雌ねじ部の内径よりも大きくする。この構成によれば、双方の部分の結合の際に材料のはみ出しによって填隙される。遊端縁にシールリップを設けると、収容部はシールリップを心決めするとともに、良好な密封を確実に生ずる。
【００１５】
本発明の好適な実施例においては、結合の際の密封を確実にするため、第１部分の内面にも、適合するシール部、好適には、シールリップを設け、双方部分の結合状態で第１部分の遊端縁との密封を保証するようにする。
【００１６】
本発明の好適な実施例においては、第１部分および／または第２部分を合成樹脂により形成する。本発明迅速連結継手の第２部分を混合管部とすると、大量生産でき、使用中混合管部から繰り返し押し出される内容物によって破損する際に、混合管部を交換することができる。合成樹脂はコスト的に有利であり、また、本発明による迅速連結継手の各部のための初期材料を軽量にすることができる。好適には、初期材料を合成樹脂とする場合、第１部分および／または第２部分を射出成形して形成する。特に、混合管部を製造するのに使用する材料を確実な変形可能性を有するものとすると、多条ねじ付き雌ねじ部の寸法を、雄ねじ部の少なくとも１条のねじ山の寸法よりも小さくすることができる。この実施例によれば、本発明迅速連結継手の第１部分と第２部分との間の段差部に形状ロック又は填隙ロックを生じて相互連結されるため、部分相互をしっかりとクランプすることができる。さらに、本発明迅速連結継手の第１部分および／または第２部分を金属によって形成することができる。
【００１７】
次に、図面につき本発明の好適な実施例を説明する。
【実施例１】
【００１８】
図１に押し出し装置と混合管部と間における本発明迅速連結継手の第１実施例の斜視図を示し、双方の部分が連結する部分を示す。本発明による迅速連結継手１は、２成分物質を押し出すための押し出し装置（詳細には図示しない）に設け、第１部分として連結部２と第２部分としての混合管部３を有する。
【００１９】
連結部２は、混ぜ合わせる２成分物質の各成分をそれぞれ詰めた２個の胴部に接続するための接続部６，７を有する。接続部６，７に結合室８を連続させ、この結合室８から接続部９を分岐させる。接続部９には仕切り壁１０を設け、この仕切り壁１０によって２成分物質の個別の成分が連結部２で混合するのを阻止する。
【００２０】
接続部９は、円錐体によって構成する。接続部９の壁厚は、密封部として連結部分を良好にシールするためシールリップ１４を設けることができる遊端縁１１から結合室８に向かう方向に連続的に増大させる。接続部９の外側面に２条のねじ山即ち、第１ねじ山１３．１および第２ねじ山１３．２を有する雄ねじ部１２を設け、これらねじ山部１３．１，１３．２の双方を互いに平行に同一ピッチで延在させる。雄ねじ部１２は、鋸歯状ねじ山として構成する。
【００２１】
混合管部３は、接続部分１６と管状部分１７とを有し、この管状部分１７には例えば、混合管部３内に導入される２成分物質の各成分の良好な混合を保証するための静力学的混合器を配置する。接続部分１６の領域において、混合管部３の外側面に張り出し部１８．１，１８．２，１８．３を設け、迅速連結継手１を掴んで操作し易いようにする。
【００２２】
接続部分１６は、接続部９の雄ねじ部１２に補完する雌ねじ部１９を形成した円錐体によって構成する。この雌ねじ部１９のねじ山２２．１，２２．２を、雄ねじ部１２のねじ山１３．１，１３．２の傾斜および構成に対応させる。接続部分１６の管状部分１７に対向する側の端部を雌ねじ部１９の領域よりも急峻な円錐勾配にする。
【００２３】
つぎに、連結部２と混合管部３とを連結する際の、本発明による迅速連結継手１の各要素の作用を説明する。連結部２は、（図示しない）押し出し装置に設けるのが一般的である。混合管部３は、矢印２１の方向に連結部２の接続部９上に案内し、接続部９の雄ねじ部１２の端部と接続部分１６の雌ねじ部１９の端部領域におけるねじ山とを接触させる。このとき、例えば、半周にわたり相互に回転することによって、混合管部３を連結部２に一様な力が伝達されて確実に連結することができる。遊端縁１１は、接続部分１６の収容部２０に接触し、連結部２と混合管部３との間に良好な密封シールを生ずる。
【実施例２】
【００２４】
図２には、３条の雄ねじ山を有する本発明の第１部分における第２実施例の一部の側面図を示す。連結部３１を円錐体によって構成する。連結部３１の外側面に３条のねじ山、即ち、第１ねじ山３３．１、第２ねじ山３３．２および第３ねじ山３３．３を有する雄ねじ部３２を設け、これらねじ山を互いに平行に同一ピッチにする。この雄ねじ部３２は、台形ねじ山により構成する。
【実施例３】
【００２５】
図３に押し出し装置の連結部と混合管部とを有する本発明迅速連結継手の第３実施例の斜視図を示す。この実施例の迅速連結継手４１は、第１部分としての連結部４２と、第２部分としての混合管部４３とを有する。
【００２６】
連結部４２は、図２に示す連結部２と同様の構造にし、ただし、この実施例では、接続部４４の外側面に、ねじ山４６を有する１条の雄ねじ部４５を設ける。
【００２７】
混合管部４３は、図１に示す実施例の混合管部３とほぼ同一の構造にする。ただし、混合管部４３の接続部分５０には、２条の雌ねじ部４７、即ち、第１ねじ山４８．１と第２ねじ山４８．２を設ける。接続部４４における雄ねじ部４５のねじ山４６の勾配および構成は、雌ねじ部４７のねじ山４８．１，４８．２の勾配および構成に対応させる。
【００２８】
混合管部４３を矢印４９の方向に連結部４２の接続部４４上に案内し、接続部４４の雄ねじ部４５のねじ山４６の端部を、接続部分５０の雌ねじ部４７の端部領域のねじ山４８．１又は４８．２に接触させる。例えば、半周にわたり相互回転させることによって、混合管部４３は連結部４２に対して一様な締め付け力が伝達されて確かな結合を生ずる。
【００２９】
要約すれば、２個の部分を接続する本発明迅速連結継手は、雄ねじ部および雌ねじ部の構造によって、大きな締め付け力を伝達し、ユーザーに高い信頼性を提供することができる。さらに、本発明迅速連結継手は、使用にあたり操作が簡単であり、低コストで製造することができる。
【図面の簡単な説明】
【００３０】
【図１】本発明の第１実施例である押し出し装置と混合管とを連結する迅速連結継手の斜視図である。
【図２】本発明の第２実施例の第１部分に３条の雄ねじ山を設けた迅速連結継手の部分斜視図である。
【図３】本発明の第３実施例である押し出し装置と混合管とを連結する迅速連結継手の斜視図である。
【符号の説明】
【００３１】
１  迅速連結継手
２  連結部
３  混合管部
６  接続部
７  接続部
８  結合室
９  接続部
１０  仕切り壁
１１  遊端縁
１２  雄ねじ部
13.1  第１ねじ山
13.2  第２ねじ山
１４  シールリップ
１６  接続部分
１７  管状部分
18.1,18.2,18.3  張り出し部
１９  雌ねじ部
２０  収容部
３１  連結部
３２  雄ねじ部
33.1,33.2,33.3  ねじ山
４１  迅速連結継手
４２  連結部
４３  混合管部
４４  接続部
４５  雄ねじ部
４６  ねじ山
４７  雌ねじ部
48.1,48.2   ねじ山
５０  接続部分
【図１】
2004360908.tif 000003
【図２】
2004360908.tif 000004
【図３】
2004360908.tif 000005